(57)【要約】      （修正有）【課題】トナーカートリッジや瓶などの略円筒型の被包装物を包装する紙製包装容器で、一枚の紙製基材の要所の折り曲げと貼り着けにより組み立てることができる、構造簡単で紙材使用量の少ない新規な紙製包装容器を提供する。【解決手段】胴部８内に収容した被包装物が、前後の蓋板１０，１１’での挟持により移動不能に保持される。六角筒状の胴部８周壁における複数の頂角部分と、胴部８内の略円筒状の被包装物との間に緩衝空間ｃ’が維持される。胴部８の前後開口９，９’部位において、蓋板の傾斜面部１０ｂ，１０ｃ、１１ｂ’，１１ｃ’と胴部の台形状区画面１，３，４，６との間に緩衝空間ｃが維持される。よって、緩衝用部材を別途用いることなく、一枚の紙製基材の要所の折り曲げと貼り着けにより、略円筒状の被包装物を安全に保管、搬送することができる緩衝空間内在型の紙製包装容器を提供する。【選択図】図７
0003109524.tif 000002
【実用新案登録請求の範囲】
【請求項１】
一枚の紙製基材を折線で等間隔幅に区画して六つ又は八つの面を形成すると共に、一端側の面の側縁を他端側の面の側縁に連結してなる六角筒状又は八角筒状の胴部と、該胴部の前後の開口を塞ぐ蓋板を備え、
前記胴部において対向状に位置する一組の折線を他の折線より長くすると共に、各最長折線に隣接する一組の区画面を台形状区画面として、前記前後の開口を、内側に位置する中央開口部と、該中央開口部の両側から外側に向けて傾斜状に連なる略三角形状の傾斜状開口部を備えた形状とし、
前記蓋板を、前記中央開口部を塞ぐ中央面部と、該中央面部の両側に折線を介して傾斜状に折れ曲がり前記傾斜状開口部を塞ぐ略三角形状の傾斜面部を備えた形状とし、
前後の蓋板の中央面部で、前記胴部内に収容される被包装物を挟持すると共に、該胴部内における前記傾斜面部と前記台形状区画面との間に、前記被包装物の緩衝空間を形成したことを特徴とする多角筒状の紙製包装容器。
【請求項２】
前記前後の蓋板が、相互に重なる内外の蓋板であることを特徴とする請求項１記載の紙製包装容器。
【請求項３】
前記蓋板の中央面部に、該蓋板の開閉作動時に折れ曲がる折線を備えたことを特徴とする請求項１又は２記載の紙製包装容器。
【請求項４】
一枚の紙製基材を折線で等間隔幅に区画して六つの面（１，２，３，４，５，６）を形成すると共に、一端側の面（６）の側縁を他端側の面（１）の側縁に連結してなる六角筒状の胴部（８）と、該胴部の前後の開口（９，９’）を塞ぐ蓋板（１０，１１）を備え、
前記胴部（８）において対向状に位置する一組の折線（１６，１９）を他の折線（１４，１５，１７，１８）より長くすると共に、各最長折線（１６，１９）に隣接する一組の区画面を台形状区画面（３，４、６，１）として、前記前後の開口（９，９’）を、内側に位置する中央開口部（９ａ）と、該中央開口部の両側から外側に向けて傾斜状に連なる略三角形状の傾斜状開口部（９ｂ，９ｃ）を備えた形状とし、
前記蓋板（１０，１１）を、前記中央開口部（９ａ）を塞ぐ中央面部（１０ａ，１１ａ）と、該中央面部の両側に折線（１４’，１５’）を介して傾斜状に折れ曲がり前記傾斜状開口部（９ｂ，９ｃ）を塞ぐ略三角形状の傾斜面部（１０ｂ，１０ｃ、１１ｂ，１１ｃ）を備えた形状とし、
前後の蓋板の中央面部（１０ａ，１１ａ）で、前記胴部内に収容される被包装物（１００）を挟持すると共に、該胴部内における前記傾斜面部（１０ｂ，１１ｂ、１０ｃ，１１ｃ）と前記台形状区画面（６，１、３，４、）との間に、前記被包装物の緩衝空間（ｃ）を形成したことを特徴とする六角筒状の紙製包装容器。
【請求項５】
前記前後の蓋板が、相互に重なる内外の蓋板（１０，１２、１１，１３）であることを特徴とする請求項４記載の紙製包装容器。
【請求項６】
前記各蓋板（１０，１２’、１１’，１３’）の中央面部（１０ａ，１２ａ’、１１ａ’，１３ａ’）に、該蓋板の開閉作動時に折れ曲がる折線（２１，２２）を備えたことを特徴とする請求項５記載の紙製包装容器。
【請求項７】
前記被包装物（１００）が略円筒形状のトナーカートリッジであり、該トナーカートリッジの前面に突出するトナー排出管（１０１）が前記緩衝空間（ｃ）に収容されることを特徴とする請求項１〜６の何れか１項記載の紙製包装容器。
【考案の詳細な説明】
【技術分野】
【０００１】
本考案は、一枚の紙製基材の要所の折り曲げと貼り着けにより組み立てられる六角形又は八角形の多角筒状の紙製包装容器に関し、詳しくは、トナーカートリッジや瓶などの、略円筒型の被包装物を包装するに好適な多角筒状の紙製包装容器に関する。
【背景技術】
【０００２】
従来、トナーカートリッジや瓶などの略円筒型の被包装物を包装する容器として、例えば特許文献１〜３に開示されるような紙製容器が知られている。
【０００３】
【特許文献１】実開平７−８２１７号公報
【特許文献２】特開平１０−７７０２７号公報
【特許文献３】特開平１１−３０１７４１号公報
【考案の開示】
【考案が解決しようとする課題】
【０００４】
これら従来の紙製容器は、包装箱本体と緩衝材を別個に備えた複雑な構造の包装体であり、紙材使用量が多くなると共に、組み立て工程が多く組み立て作業が煩雑になり、結果として包装コストが高くなるといった不具合があった。
本考案はこのような従来事情に鑑みてなされたもので、その目的とする処は、トナーカートリッジや瓶などの略円筒型の被包装物を包装する紙製包装容器であって、一枚の紙製基材の要所の折り曲げと貼り着けにより組み立てることができる、構造簡単で紙材使用量の少ない新規な紙製包装容器を提供することにある。
【課題を解決するための手段】
【０００５】
以上の目的を達成するために、本考案の紙製包装容器は、一枚の紙製基材を折線で等間隔幅に区画して六つ又は八つの面を形成すると共に、一端側の面の側縁を他端側の面の側縁に連結してなる六角筒状又は八角筒状の胴部と、該胴部の前後の開口を塞ぐ蓋板を備え、
前記胴部において対向状に位置する一組の折線を他の折線より長くすると共に、各最長折線に隣接する一組の区画面を台形状区画面として、前記前後の開口を、内側に位置する中央開口部と、該中央開口部の両側から外側に向けて傾斜状に連なる略三角形状の傾斜状開口部を備えた形状とし、
前記蓋板を、前記中央開口部を塞ぐ中央面部と、該中央面部の両側に折線を介して傾斜状に折れ曲がり前記傾斜状開口部を塞ぐ略三角形状の傾斜面部を備えた形状とし、
前後の蓋板の中央面部で、前記胴部内に収容される被包装物を挟持すると共に、該胴部内における前記傾斜面部と前記台形状区画面との間に、前記被包装物の緩衝空間を形成したことを特徴とする。
【０００６】
このような構成によれば、胴部内に収容した被包装物が、前後の蓋板での挟持により移動不能に保持されると共に、六角筒状又は八角筒状の胴部周壁における複数の頂角部分と、胴部内の略円筒状の被包装物との間に緩衝空間が維持され、且つ、胴部の前後開口部位において、蓋板の傾斜面部と胴部の台形状区画面との間に緩衝空間が維持される。よって、緩衝用部材を別途用いるような必要なく、一枚の紙製基材の要所の折り曲げと貼り着けにより、略円筒状の被包装物を安全に保管、搬送することができる緩衝空間内在型の紙製包装容器を提供することができた。
【０００７】
前記前後の蓋板が、相互に重なる内外の蓋板であることが好ましい。
この場合、内外二枚の蓋板により前記した被包装物の保持と緩衝空間の維持がなされると共に、内側の蓋板の不用意な開きを外側の蓋板で防止して、前記作用効果をより実効あるものとし得る。
【０００８】
前記蓋板の中央面部に、該蓋板の開閉作動時に折れ曲がる折線を備えることが好ましい。
この場合、該折線により、蓋板の開閉時において、蓋体における折線以外の箇所で折れ曲がりが発生することを防止し得る。よって、折線以外に余分な折り曲げ箇所等が生じることの無い、商品価値の高い包装パッケージとしての提供が可能になる。
【０００９】
本考案に係る紙製包装容器のより具体的な一態様として、一枚の紙製基材を折線で等間隔幅に区画して六つの面（１，２，３，４，５，６）を形成すると共に、一端側の面（６）の側縁を他端側の面（１）の側縁に連結してなる六角筒状の胴部（８）と、該胴部の前後の開口（９，９’）を塞ぐ蓋板（１０，１１）を備え、
前記胴部（８）において対向状に位置する一組の折線（１６，１９）を他の折線（１４，１５，１７，１８）より長くすると共に、各最長折線（１６，１９）に隣接する一組の区画面を台形状区画面（３，４、６，１）として、前記前後の開口（９，９’）を、内側に位置する中央開口部（９ａ）と、該中央開口部の両側から外側に向けて傾斜状に連なる略三角形状の傾斜状開口部（９ｂ，９ｃ）を備えた形状とし、
前記蓋板（１０，１１）を、前記中央開口部（９ａ）を塞ぐ中央面部（１０ａ，１１ａ）と、該中央面部の両側に折線（１４’，１５’）を介して傾斜状に折れ曲がり前記傾斜状開口部（９ｂ，９ｃ）を塞ぐ略三角形状の傾斜面部（１０ｂ，１０ｃ、１１ｂ，１１ｃ）を備えた形状とし、
前後の蓋板の中央面部（１０ａ，１１ａ）で、前記胴部内に収容される被包装物（１００）を挟持すると共に、該胴部内における前記傾斜面部（１０ｂ，１１ｂ、１０ｃ，１１ｃ）と前記台形状区画面（６，１、３，４、）との間に、前記被包装物の緩衝空間（ｃ）を形成したことを特徴とする六角筒状の紙製包装容器をあげることができる。
ここで、前述の理由から、前記前後の蓋板が、相互に重なる内外の蓋板（１０，１２、１１，１３）であることが好ましい。同様に、前記各蓋板（１０，１２’、１１’，１３’）の中央面部（１０ａ，１２ａ’、１１ａ’，１３ａ’）に、該蓋板の開閉作動を案内する折線（２１，２２）を備えることが好ましい。
【００１０】
また、本考案に係る紙製包装容器のより具体的な一態様として、八角筒状の紙製包装容器をあげることができる。該八角筒状の紙製包装容器については、考案の実施形態において詳述する。
【００１１】
また、本考案に係る紙製包装容器は、被包装物（１００）が略円筒形状のトナーカートリッジであり、該トナーカートリッジの前面に突出するトナー排出管（１０１）が前記緩衝空間（ｃ）に収容されるよう構成することが好ましい。
【考案の効果】
【００１２】
本考案は以上説明したように構成したので、トナーカートリッジや瓶などの略円筒形状の商品を包装、保管、搬送する際に好適に用いることができる。
【考案を実施するための最良の形態】
【００１３】
以下、本考案に係る紙製包装容器の実施形態の例を、図面を参照しながら説明する。
図１〜図４に示す紙製包装容器Ａは、六角筒状の胴部８と、該胴部８の前側開口９を塞ぐ内外の蓋板１０，１２と、後側開口９’を塞ぐ内外の蓋板１１，１３を備えたものである。
【００１４】
図２にこの紙製包装容器Ａを構成するための紙製基材ａを示す。この紙製基材ａは、折線１４，１５，１６，１７，１８で等間隔幅に区画した六つの面１，２，３，４，５，６を有すると共に、一端側の面６の側縁に折線１９を介して貼着け片７を連設し、この貼着け片７を他端側の面１の側縁裏面に貼り着けることで六角筒状の胴部８になるよう形成されている。
【００１５】
前記一端側の面６の側縁の折線１９と、これから四番目の折線１６は、他の折線１４，１５，１７，１８より長い最長折線１６，１９とすると共に、該折線１６，１９に隣接する一組の区画面を台形状区画面３，４、６，１とし、他の区画面を矩形状区画面２，５としている。これにより、図２，図３に示すように、前後の開口９，９’が、内側に位置する中央開口部９ａと、該中央開口部９ａの両側から外側に向けて傾斜状に連なる略三角形状の傾斜状開口部９ｂ，９ｃを備えた形状となる。
【００１６】
胴部８の周壁上半部を構成する三つの区画面１，２，３の前縁には、折線１ａ，２ａ，３ａを介して、前側開口９を塞ぐ内側の蓋板１０が連設され、同後縁には、折線１ｂ，２ｂ，３ｂを介して、後側開口９’を塞ぐ内側の蓋板１１が連設されている。
胴部８の周壁下半部を構成する三つの区画面４，５，６の前縁には、折線４ａ，５ａ，６ａを介して、前側開口９を塞ぐ外側の蓋板１２が連設され、同後縁には、折線４ｂ，５ｂ，６ｂを介して、後側開口９’を塞ぐ外側の蓋板１３が連設されている。
前側開口９を塞ぐ内外の蓋板１０，１２、後側開口９’を塞ぐ内外の蓋板１１，１３は相互に重なる状態で各々の開口９，９’を閉じるようになっている。
【００１７】
夫々の蓋板１０，１１，１２，１３は、開口９，９’を閉蓋可能な略六角形状に形成されると共に、前述の中央開口部９ａを塞ぐ中央面部１０ａ，１１ａ，１２ａ，１３ａと、その両側に折線１４’，１５’，１７’，１８’を介して傾斜状に折れ曲がり前述の傾斜状開口部９ｂ，９ｃを塞ぐ略三角形状の傾斜面部１０ｂ，１０ｃ、１１ｂ，１１ｃ、１２ｂ，１２ｃ、１３ｂ，１３ｃを備えた形状としている。
【００１８】
このような構成の紙製基材ａで組み立てられた六角筒状の紙製包装容器Ａは、図３、図４で示すように、胴部８内に収容した被包装物１００が、前後の蓋板１０，１２、１１，１３での挟持により移動不能に保持される。また、六角筒状の胴部周壁における複数の頂角部分と、胴部内の略円筒状の被包装物１００との間に緩衝空間ｃ’が維持されると共に、胴部８の前後開口部位において、蓋板の傾斜面部１０ｂ，１０ｃ、１１ｂ，１１ｃと、胴部の台形状区画面１，３，４，６との間に緩衝空間ｃが維持されるので、緩衝用部材を別途用いることなく、被包装物１００を安全に保管、搬送することができる。
緩衝空間ｃは、被包装物１００が略円筒形状のトナーカートリッジである場合、その前面に突出するトナー排出管１０１の収容空間として兼用することもできる。
【００１９】
以下、他の実施形態例について説明するが、前述の例と同様の構成要素については図中に同一の符号を付すなどして、重複する説明、図示を一部省略する。
【００２０】
図６，図７では、前述の例における蓋板の一部を変更した例を示す。
すなわち、この例では、前側の開口９を塞ぐ内側の蓋板１０と外側の蓋板１２’、後側の開口９’を塞ぐ内側の蓋板１１’と外側の蓋板１３’の各中央面部（１０ａ，１２ａ’、１１ａ，１３ａ’に、各蓋板１０，１１’，１２’，１３’の開閉作動時に折れ曲がる折線を形成したものである。この折線は、中央面部１０ａ，１２ａ’，１３ａ’の幅方向略中央箇所で、且つ長手方向の略中心位置から外端に向けて延びる直線状折線２１と、前記中心位置から内端に向けて二又状に延びる山形状折線２２，２２からなる。
このような折線２１，２２を備えることで、蓋板１０，１１’，１２’，１３’の開閉時において、該蓋体１０，１１’，１２’，１３’が折線以外の箇所で折れ曲がることを防止し、余分な折り曲げ箇所等が生じることの無い商品価値の高い包装パッケージとして提供することができる。
【００２１】
また、この例では、後側開口９’を塞ぐ内側の蓋板１１’の中央面部１１ａ’に係合凹部３１を形成すると共に、外側の蓋板１３’の中央面部１３ａ’に、その係合凹部３１に係合する差込片３２を形成し、これら内外の蓋板１１’，１３’による閉蓋状態が係止されるようにして、被包装物１００の出し入れを、前側の開口９で専ら行うようになっている。それ以外の構成、作用効果等は前述の例と同様である。
【００２２】
図８に、胴部が八角筒状である紙製包装容器Ａ”を示す。この例の紙製基材ａ”は図９に示すように、折線６６，６７，６８，６９，７０，７１，７２で等間隔幅に区画した八つの面５１，５２，５３，５４，５５，５６，５７，５８を有すると共に、一端側の面５８の側縁に折線７３を介して貼着け片５９を連設し、この貼着け片５９を他端側の面５１の側縁裏面に貼り着けることで八角筒状の胴部６０になるよう形成されている。
【００２３】
前記一端側の面５８の側縁の折線７３と、これから四番目の折線６９は、他の折線６６，６７，６８，７０，７１，７２より長い最長折線６９，７３とすると共に、該折線６９，７３に隣接する一組の区画面を台形状区画面５４，５５、５８，５１とし、他の区画面は、これより長手寸法がやや短い台形状区画面５２，５３、５６，５７としている。これにより、前後の開口６１，６１’が、図２で示した前後の開口９，９’と同様に、内側に位置する中央開口部９ａと、該中央開口部９ａの両側から外側に向けて傾斜状に連なる略三角形状の傾斜状開口部９ｂ，９ｃを備えた形状となるようになっている。
【００２４】
胴部６０の周壁上半部を構成する四つの区画面５１，５２，５３，５４の前縁には、折線５１ａ，５２ａ，５３ａ，５４ａを介して、前側開口６１を塞ぐ内側の蓋板６２が連設され、同後縁には、折線５１ｂ，５２ｂ，５３ｂ，５４ｂを介して、後側開口６１’を塞ぐ内側の蓋板６３が連設されている。
胴部６０の周壁下半部を構成する四つの区画面５５，５６，５７，５８の前縁には、折線５５ａ，５６ａ，５７ａ，５８ａを介して、前側開口６１を塞ぐ外側の蓋板６４が連設され、同後縁には、折線５５ｂ，５６ｂ，５７ｂ，５８ｂを介して、後側開口６１’を塞ぐ外側の蓋板６５が連設されている。
前側開口６１を塞ぐ内外の蓋板６２，６４、後側開口６１’を塞ぐ内外の蓋板６３，６５は相互に重なる状態で各々の開口６１，６１’を閉じるようになっている。
【００２５】
夫々の蓋板６２，６３，６４，６５は、開口６１，６１’を閉蓋可能な略八角形状に形成されると共に、前述の中央開口部９ａを塞ぐ中央面部６２ａ，６３ａ，６４ａ，６５ａと、その両側に折線６６’，６８’，７０’，７１’を介して傾斜状に折れ曲がり前述の傾斜状開口部９ｂ，９ｃを塞ぐ略三角形状の傾斜面部６２ｂ，６２ｃ、６３ｂ，６３ｃ、６４ｂ，６４ｃ、６５ｂ，６５ｃを備えた形状としている。
【００２６】
また、図７に示す例同様、各中央面部６２ａ，６３ａ，６４ａ，６５ａに、前述の作用を奏する折線２１，２２を備えると共に、
後側開口６１’を塞ぐ内側の蓋板６３の中央面部６３ａに係合凹部３１を形成すると共に、外側の蓋板６５の中央面部６５ａに、その係合凹部３１に係合する差込片３２を形成し、これら内外の蓋板６３，６５による閉蓋状態が係止されるようにして、被包装物１００の出し入れを、前側の開口６１で専ら行うようになっている。それ以外の構成、作用効果等は前述の例と同様である。
【００２７】
以上、本考案の実施形態の数例を図面を参照しながら説明したが、本考案に係る紙製包装容器は図示例に限定されず、実用新案登録請求の範囲に記載された技術的思想の範疇において種々の変更が可能であることは言うまでもない。
【図面の簡単な説明】
【００２８】
【図１】本考案に係る紙製包装容器の実施形態の一例を示す斜視図で、（イ）は内側の蓋板のみを閉じた状態、（ロ）は外側の蓋板も閉じた状態を表す。
【図２】図１に係る紙製包装容器の開口示す斜視図で、（イ）は前側開口を、（ロ）は後側開口を表す。
【図３】図１に係る紙製包装容器の前後開口を閉蓋した状態の中央横断平面図。
【図４】図１に係る紙製包装容器の中央縦断正面図。
【図５】図１に係る紙製包装容器の紙製基材の平面図。
【図６】本考案に係る紙製包装容器の実施形態の他例を示す斜視図で、（イ）は内側の蓋板のみを閉じた状態、（ロ）は外側の蓋板も閉じた状態を表す。
【図７】図６に係る紙製包装容器の紙製基材の平面図。
【図８】本考案に係る紙製包装容器の実施形態の他例を示す斜視図で、（イ）は内側の蓋板のみを閉じた状態、（ロ）は外側の蓋板も閉じた状態を表す。
【図９】図８に係る紙製包装容器の紙製基材の平面図。
【符号の説明】
【００２９】
Ａ：紙製包装容器
ａ：紙製基材
１，３，４，６：台形状区画面
２，５：矩形状区画面
８：胴部
９，９’：前後の開口
９ａ：中央開口部
９ｂ，９ｃ：傾斜状開口部
１０，１１，１２，１３：蓋板
１０ａ，１１ａ，１２ａ，１３ａ：中央面部
１０ｂ，１０ｃ、１１ｂ，１１ｃ、１２ｂ，１２ｃ、１３ｂ，１３ｃ：傾斜面部
ｃ：緩衝空間
２１，２２：折線
１００：被包装物
【図１】
0003109524.tif 000003
【図２】
0003109524.tif 000004
【図３】
0003109524.tif 000005
【図４】
0003109524.tif 000006
【図５】
0003109524.tif 000007
【図６】
0003109524.tif 000008
【図７】
0003109524.tif 000009
【図８】
0003109524.tif 000010
【図９】
0003109524.tif 000011